(57)【要約】      （修正有）【課題】狭額縁化を図り、表示領域の増大が可能な表示装置を提供することにある。【解決手段】複数の画素電極ＰＥが設けられたアクティブ領域ＡＡと、アクティブ領域の周囲に位置する額縁領域ＮＡと、を有するアレイ基板１８と、アレイ基板に重ねて配置された電気泳動素子２０と、を備えている。電気泳動素子２０は、アクティブ領域に対向する第１表示領域ＤＡ１と、額縁領域に対向して位置し、任意の画像を表示可能な第２表示領域ＤＡ２と、を有している。【選択図】図４
2019060983.tif 000002
【特許請求の範囲】
【請求項１】
複数の画素電極が設けられたアクティブ領域と、前記アクティブ領域の周囲に位置する額縁領域と、を有するアレイ基板と、
前記アレイ基板に重ねて配置された電気泳動素子と、を備え、
前記電気泳動素子は、前記アクティブ領域に対向する第１表示領域と、前記額縁領域に対向して位置し、任意の画像を表示可能な第２表示領域と、を有する表示装置。
【請求項２】
前記第１表示領域は、前記画素電極により書き込まれた画像を表示し、前記第２表示領域は、予め書込まれた任意の画像を表示するように構成されている請求項１に記載の表示装置。
【請求項３】
前記電気泳動素子は、前記アレイ基板上に配置された第１基材と、前記第１基材に隙間を置いて対向配置された第２基材と、前記第１基材と第２基材との間に配置され、それぞれ電気泳動粒子を収納している複数のマイクロカプセルと、前記第２基材に設けられ前記マイクロカプセルに対向した共通電極と、を備え、前記共通電極は、少なくとも前記第１表示領域に設けられ、前記マイクロカプセルを挟んで前記アクティブ領域に対向している請求項１に記載の表示装置。
【請求項４】
前記電気泳動素子は、前記第１基材に設けられた第２共通電極を有し、前記第２共通電極は、前記第２表示領域に配置され、前記マイクロカプセルを挟んで前記第２基材に対向している請求項３に記載の表示装置。
【請求項５】
前記共通電極は、前記第１表示領域および第２表示領域に亘って設けられ、前記マイクロカプセルを挟んで、前記第１基材と対向し、
前記電気泳動素子は、前記第１基材に設けられ前記第２表示領域に配置された第１固定電極と、前記第１基材に設けられ前記第２表示領域内で前記第１固定電極と前記マイクロカプセルとの間に配置された第２固定電極と、を有し、前記第２固定電極は、任意の画像に対応した形状の複数の透孔を有している請求項３に記載の表示装置。
【請求項６】
前記電気泳動素子の第２表示領域は、前記アレイ基板の額縁領域を越えて前記アレイ基板の外側まで延在している請求項１から５のいずれか１項に記載の表示装置。
【請求項７】
前記第２表示領域は、前記アレイ基板の背面側に湾曲した湾曲部を有している請求項６に記載の表示装置。
【請求項８】
前記電気泳動素子は、前記第２基材上に積層された無機バリア層を有している請求項３に記載の表示装置。
【請求項９】
表示面を有するシート状の電気泳動素子を備える表示装置であって、
前記電気泳動素子は、第１基材と、前記第１基材に隙間を置いて対向配置され、前記表示面を形成する第２基材と、前記第１基材と第２基材との間に配置され、それぞれ電気泳動粒子を収納している複数のマイクロカプセルと、前記第２基材に設けられ前記マイクロカプセルに対向した共通電極と、前記第１基材に設けられ前記マイクロカプセルを挟んで前記共通電極に対向する固定電極と、を備え、前記固定電極は、任意の画像に対応した形状の複数の透孔を有している表示装置。
【請求項１０】
前記電気泳動素子は、前記第１基材に設けられた第２固定電極を有し、前記第２固定電極はベタに形成された電極であり、前記固定電極に対向して配置されている請求項９に記載の表示装置。
【請求項１１】
表示面を有するシート状の電気泳動素子を備えた表示装置と、前記電気泳動素子に画像データを書込む書込み治具と、を備える表示システムであって、
前記電気泳動素子は、第１基材と、前記第１基材に隙間を置いて対向配置され、前記表示面を形成する第２基材と、前記第１基材と第２基材との間に配置され、それぞれ電気泳動粒子を収納している複数のマイクロカプセルと、前記第１基材に設けられ前記マイクロカプセルに対向した共通電極と、を備え、
前記書込み治具は、前記電気泳動素子の表示面に対向あるいは当接可能な対向面と、前記対向面の近傍に設けられ、前記マイクロカプセルを挟んで前記共通電極に対向可能な画素電極と、を有し、前記画素電極と共通電極との間に電圧を印加して前記マイクロカプセルに画像データを書込む表示システム。
【請求項１２】
前記電気泳動素子は、前記表示面の中央部に位置する第１表示領域と、前記第１表示領域の周囲に位置する第２表示領域と、を有し、前記共通電極は、前記第１表示領域および第２表示領域に亘って配置され、
前記書込み治具は、前記第１表示領域および第２表示領域に対向可能に配置された複数の画素電極を備えている請求項１１に記載の表示システム。
【請求項１３】
前記電気泳動素子は、前記表示面の中央部に位置する第１表示領域と、前記第１表示領域の周囲に位置する第２表示領域と、を有し、前記共通電極は、前記第２表示領域に配置され、
前記書込み治具は、前記第２表示領域に対向可能に配置された複数の画素電極を備えている請求項１１に記載の表示システム。
【請求項１４】
前記表示装置は、前記第２基材に設けられ前記第１表示領域に配置された第２基材側共通電極と、前記第１基材に対向して設けられたアレイ基板と、を有し、
前記アレイ基板は、前記第１表示領域に対向して配置され、前記第２基材側共通電極との間で電圧を印加する複数の画素電極を有している請求項１３に記載の表示システム。
【発明の詳細な説明】
【技術分野】
【０００１】
本発明の実施形態は、表示装置および表示システムに関する。
【背景技術】
【０００２】
表示装置の一例として、素子基板と対向基板との間に、マイクロカプセルが配列された電気泳動素子を挟持した電気泳動表示装置が提案されている。この種の電気泳動表示装置は、記憶性を有しているため、表示状態を維持するのに常に電圧を印加する必要はない。一方で、電気泳動表示装置の表示エリアは、画素電極と対向する有効表示領域に限られている。
【先行技術文献】
【特許文献】
【０００３】
【特許文献１】特開２０１１−２２１０９７号公報
【発明の概要】
【発明が解決しようとする課題】
【０００４】
ここで述べる実施形態の目的は、狭額縁化を図り表示領域の増大を図ることが可能な表示装置、および表示装置を備える表示システムを提供することにある。
【課題を解決するための手段】
【０００５】
実施形態に係る表示装置は、複数の画素電極が設けられたアクティブ領域と、前記アクティブ領域の周囲に位置する額縁領域と、を有するアレイ基板と、前記アレイ基板に重ねて配置された電気泳動素子と、を備え、前記電気泳動素子は、前記アクティブ領域に対向する第１表示領域と、前記額縁領域に対向して位置し、任意の画像を表示可能な第２表示領域と、を有している。
【図面の簡単な説明】
【０００６】
【図１】図１は、第１の実施形態に係る表示装置の外観を示す斜視図。
【図２】図２は、前記表示装置の筐体を分解して示す分解斜視図。
【図３】図３は、前記表示装置における表示パネルを示す平面図。
【図４】図４は、図３の線Ａ−Ａに沿った表示パネルの断面図。
【図５】図５は、第２の実施形態に係る表示装置における表示パネルの断面図。
【図６】図６は、第２の実施形態における表示パネルの電気泳動素子および電極を示す分解斜視図。
【図７】図７は、第３の実施形態に係る表示装置における表示パネルの断面図。
【図８】図８は、第４の実施形態に係る表示装置および書込み治具を示す斜視図。
【図９】図９は、第４の実施形態に係る表示パネルおよび書込み治具の断面図。
【図１０】図１０は、第５の実施形態に係る表示装置の表示パネルおよび書込み治具の断面図。
【図１１】図１１は、第６の実施形態に係る表示装置の表示パネルおよび書込み治具の断面図。
【図１２】図１２は、第７の実施形態に係る表示装置の外観を示す斜視図。
【図１３】図１３は、第７の実施形態に係る表示装置の筐体を分解して示す表示装置の分解斜視図。
【図１４】図１４は、第７の実施形態に係る表示装置における表示パネルの分解斜視図。
【図１５】図１５は、図１２の線Ｂ−Ｂに沿った表示パネルの断面図。
【図１６】図１６は、第８の実施形態に係る表示装置および書込み治具を分解して示す斜視図。
【図１７】図１７は、第８の実施形態に係る表示装置および書込み治具を示す斜視図。
【発明を実施するための形態】
【０００７】
以下、図面を参照しながら、この発明の実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００８】
（第１の実施形態）  
図１は、第１の実施形態に係る表示装置の表示面側を示す斜視図、図２は、筐体と表示パネルとを分解して示す分解斜視図である。  
本実施形態では、一例として、電子棚札に適用した表示装置１０を示している。図１および図２に示すように、表示装置１０は、ほぼ矩形状の表示パネル１２と、この表示パネルを収容した偏平な矩形箱状の筐体（ケース）１４と、を備えている。筐体１４は、矩形状のベース１４ａと、矩形状のカバー１４ｂと、を有している。カバー１４ｂは、ベース１４ａの開口を覆うように、ベース１４ａに嵌合されている。カバー１４ｂは、矩形状の表示窓１６を有している。表示窓１６は、カバー１４ｂの幅方向（第２方向）Ｙの全幅に亘って、また、カバーの長手方向（第１方向）Ｘの大部分に亘って延在している。
【０００９】
表示パネル１２は、矩形状のアレイ基板（ＴＦＴ基板）１８と、アレイ基板１８に重ねて設けられたシート状の電気泳動素子２０と、を備えている。アレイ基板１８は、後述する画素電極、薄膜トランジスタ（ＴＦＴ）、信号線、外部回路配線等を備えている。アレイ基板１８に駆動ＩＣ１９が実装されている。アレイ基板１８の背面側に制御回路基板２３が対向配置されている。アレイ基板１８は、フレキシブル配線基板（ＦＰＣ）１７を介して制御回路基板２３に電気的に接続されている。  
電気泳動素子２０は、例えば、矩形状の表示面１２ａを有している。表示面１２ａは、筐体１２の表示窓１６に対応した大きさに形成されている。表示パネル１２は、表示面１２ａが表示窓１６の全面に露出した状態で、筐体１４内に配置されている。
【００１０】
図３は表示パネルの平面図である。図３に示すように、アレイ基板１８は、例えば、ガラスあるいは合成樹脂からなる矩形状の絶縁基板を有している。アレイ基板１８は、第１方向Ｘに沿って延在する一対の長辺ＬＳ１、ＬＳ２と、第１方向Ｘと直交する第２方向Ｙに沿って延在する一対の短辺ＳＳ１、ＳＳ２と、を有している。アレイ基板１８は、矩形状のアクティブ領域ＡＡと、アクティブ領域ＡＡの周囲に位置する枠状の額縁領域ＮＡと、を有している。アクティブ領域ＡＡには、複数の画素ＰＸがマトリクス状に並んで設けられている。各画素ＰＸは、画素電極ＰＥ、スイッチング素子（ＴＦＴ）ＳＷを備えている。その他、アクティブ領域ＡＡには、スイッチング素子ＳＷを介して画素電極ＰＥに接続された多数本の信号線Ｓよび走査線Ｇ等が設けられている。  
額縁領域ＮＡには、周辺回路、例えば、複数の配線ＷＬが設けられている。例えば、額縁領域ＮＡの内、長辺ＬＳ１、ＬＳ２に沿って延在する領域に、複数の配線ＷＬが設けられている。これらの配線ＷＬは、走査線Ｇあるいは信号線Ｓにそれぞれ電気的に接続されている。また、これらの配線ＷＬは駆動ＩＣに電気的に接続されている。
【００１１】
第１方向Ｘおよび第２方向Ｙと直交する第３方向Ｚに沿って電気泳動素子２０を表示面１２ａ側から見た場合、つまり、平面視した場合、電気泳動素子２０はアクティブ領域ＡＡよりも大きい矩形状に形成されている。一例では、電気泳動素子２０は、第２方向Ｙに沿ったアレイ基板１８の幅Ｗ１よりも大きな幅Ｗ２を有し、また、第１方向Ｘに沿ったアクティブ領域ＡＡの長さＬ１よりも長い長さＬ２を有している。
【００１２】
電気泳動素子２０は、アレイ基板１８のアクティブ領域ＡＡおよび額縁領域ＮＡに重ねて配置されている。電気泳動素子２０の対向する一対の長辺ＬＳ３、ＬＳ４は、アレイ基板１８の長辺ＬＳ１、ＬＳ２とそれぞれほぼ平行に延在している。本実施形態では、電気泳動素子２０の両長辺側の端部は、それぞれアレイ基板１８の長辺ＬＳ１、ＬＳ２を超えてアレイ基板１８の外側に延出している。また、電気泳動素子２０の対向する一対の短辺ＳＳ３、ＳＳ４の内、一方の短辺ＳＳ４は、アレイ基板１８の一方の短辺ＳＳ２と、すなわち、額縁領域ＮＡの一方の端縁と、ほぼ面一に並んで配置されている。電気泳動素子２０の他方の短辺ＳＳ３は、額縁領域ＮＡの他方の端縁と、ほぼ面一に並んで配置されている。
【００１３】
このように、電気泳動素子２０は、アクティブ領域ＡＡに対向する矩形状の第１表示領域ＤＡ１と、第１表示領域ＤＡ１の周囲に位置し額縁領域ＮＡを覆った枠状の第２表示領域ＤＡ２と、を有している。本実施形態において、第２表示領域ＤＡ２の長辺側の側縁部は、アレイ基板１８の外側に延出している。  
電気泳動素子２０の短辺ＳＳ３、ＳＳ４は、額縁領域ＮＡの端縁と面一に配置する構成としているが、これに限らず、電気泳動素子２０の長さＬ２を増大し、短辺側の側縁部が額縁領域ＮＡの外側まで延在するようにしてもよい。また、電気泳動素子２０の長辺側端部は、少なくとも額縁領域ＮＡを覆っていればよく、電気泳動素子２０の一対の長辺ＬＳ３、ＬＳ４がアレイ基板１８の長辺ＬＳ１、ＬＳ２とそれぞれ面一に位置する程度に幅Ｗ２を設定してもよい。
【００１４】
図４は、図３の線Ａ−Ａに沿った表示パネルの断面を模式的に示す断面図である。なお、以下の各図面においては、各構成要素を見やすくするため、構成要素によって寸法の縮尺を変更して示すことがある。  
図４に示すように、アレイ基板１８は、例えば、合成樹脂あるいはガラスで形成された絶縁基板２２と、絶縁基板２２の表面に形成された絶縁層２４と、を有している。絶縁基板２２は、表示面１２ａと反対側に配置されるため、透明でなくてもよい。アレイ基板１８は、アクティブ領域ＡＡにおいて、絶縁層２４上に設けられた複数の画素電極ＰＥ、図示しないスイッチング素子ＳＷ、信号線Ｓ、走査線Ｇ等を有している。額縁領域ＮＡにおいて、絶縁層２４上に複数の配線ＷＬが設けられている。画素電極ＰＥは、例えば、インジウム・ティン・オキサイド（ＩＴＯ）等の透明導電材料やＡｌ等の金属材料等により形成された電極であり、後述する共通電極との間で電気泳動素子に電圧を印加する。絶縁層２４、画素電極ＰＥ、配線ＷＬに重ねて、アレイ基板１８のアクティブ領域ＡＡおよび額縁領域ＮＡの全面に導電性の粘着層２５が設けられている。
【００１５】
シート状の電気泳動素子２０は、粘着層２５に重ねて配置され、この粘着層２５によりアレイ基板１８に貼付されている。電気泳動素子２０は、矩形状の第１基材（フィルム）２６ａと、第１基材２６ａに隙間を置いて対向配置された矩形状の第２基材（フィルム）２６ｂと、第１基材２６ａと第２基材２６ｂとの間に分散配置された多数のマイクロカプセル３０と、を有している。第１基材２６ａおよび第２基材２６ｂは、例えば、ポリエチレンテレフタレート（ＰＥＴ）等の透明樹脂で形成されている。少なくとも、表示面１２ａ側となる第２基材２６ｂは、透明な基材を用いる。第２基材２６ｂの内面の全面に亘り共通電極２８が設けられている。共通電極２８は、画素電極ＰＥとともに電気泳動素子に電圧を印加する電極であり、例えば、ＩＴＯ、マグネシウム銀、インジウム亜鉛酸化物（ＩＺＯ）等から形成された透明電極を用いている。
【００１６】
各マイクロカプセル３０は、例えば、５０〜１００μｍ程度の粒径を有している。マイクロカプセル３０は、球状の外殻部３２と、外皮３２内に収容された複数の白色粒子（電気泳動粒子）３４ａ、複数の黒色粒子（電気泳動粒子）３４ｂ、および分散媒３６と、を有している。図示では、模式的に少数に示しているが、マイクロカプセル３０は、１つの画素電極ＰＥと対向する領域に１つあるいは複数個、設けられている。更に、マイクロカプセル３０は、第１基材２６ａと第２基材２６ｂとの間の全域に亘って、すなわち、電気泳動素子２０の第１表示領域ＤＡ１および第２表示領域ＤＡ２の全域に亘って、分散配置されている。
【００１７】
マイクロカプセル３０の外殻部（壁膜）３２は、例えば、アクリル樹脂、ユリア樹脂、アラビアガムなどの透光性を持つ高分子樹脂などを用いて形成されている。分散媒３６は、マイクロカプセル３０内において、黒色粒子３４ｂと、白色粒子３４ａとを分散させる液体である。分散媒３６としては、水、アルコール系溶媒（メタノール、エタノール、イソプロパノール、ブタノール、オクタノール、メチルセロソルブなど）、エステル類（酢酸エチル、酢酸ブチルなど）などを例示することができ、その他の油類であってもよい。これらの物質は単独または混合物として用いることができ、さらに界面活性剤などを配合してもよい。
【００１８】
白色粒子３４ａは、例えば、二酸化チタン、亜鉛華、三酸化アンチモン等の白色顔料からなる粒子（高分子あるいはコロイド）であり、例えば負に帯電されて用いられる。黒色粒子３４ｂは、例えば、アニリンブラック、カーボンブラック等の黒色顔料からなる粒子（高分子あるいはコロイド）であり、例えば正に帯電されて用いられる。  
これらの顔料には、必要に応じて、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。  
また、白色粒子３４ａおよび黒色粒子３４ｂに代えて、例えば赤色、緑色、青色、イエロー、シアン、マゼンタなどの顔料を用いてもよい。かかる構成によれば、表示面１２ａに赤色、緑色、青色、イエロー、シアン、マゼンタなどを表示することができる。
【００１９】
図４に示すように、電気泳動素子２０の周縁部はシール材ＳＥにより封止されている。シール材ＳＥは、電気泳動素子２０の全周に亘って設けられている。シール材ＳＥは、電気泳動素子２０内への水分、湿気の浸入を防止する防湿材としても機能する。  
電気泳動素子２０は、第１基材２６ａ側が粘着層２５に貼付され、アレイ基板１８に対向している。前述したように、電気泳動素子２０は、幅Ｗ２を有し、幅方向の中央領域はアレイ基板１８のアクティブ領域ＡＡを覆い、また、幅方向の両端部は、それぞれアレイ基板１８の額縁領域ＮＡを覆っている。更に、幅方向の両端部は、アレイ基板１８の額縁領域ＮＡを越えてアレイ基板１８の側方に延出している。
【００２０】
表示面１２ａ側に位置する第２基材２６ｂの外面（表面）に接着層４０を介してバリア層４２が貼付されている。更に、バリア層４２上に保護基材４４が積層されている。接着層４０、バリア層４２、保護基材４４は、同一寸法の矩形状に形成され、また、平面視で、電気泳動素子２０よりも僅かに大きい寸法に形成されている。  
バリア層４２は、例えば、ＳｉＮ、ＳｉＯ等の透明な無機材料で形成されている。バリア層４２は、電気泳動素子２０への水分、湿気の浸入を防止する防湿層としても機能する。保護基材４４は、例えば、ＰＥＴ等の透明な樹脂材料で形成されている。保護基材４４の外面は、表示パネル１２の表示面１２ａを構成している。
【００２１】
上記構成の表示パネル１２において、電気泳動素子２０の第１表示領域ＤＡ１に対向する画素ＰＸに黒表示させる場合、対応する任意の画素電極ＰＥが共通電極２８よりも相対的に高電位に保持される。すなわち、共通電極２８の電位を基準電位としたとき、画素電極ＰＥが正極性に保持される。これにより、画素電極ＰＥに対向するマイクロカプセル３０において、正に帯電した黒色粒子３４ｂが共通電極２８に引き寄せられる一方、負に帯電した白色粒子３４ａが画素電極ＰＥに引き寄せられる。その結果、共通電極２８側から画素電極ＰＥに対応する画素ＰＸを観察すると黒色が視認される。一方、第１表示領域ＤＡ１に対向する画素ＰＸに白表示させる場合には、共通電極２８の電位を基準電位としたとき、画素電極ＰＥが負極性に保持される。これにより、マイクロカプセル３０において、負に帯電した白色粒子３４ａが共通電極２８側へ引き寄せられる一方、正に帯電した黒色粒子３４ｂが画素電極ＰＥに引き寄せられる。その結果、この画素ＰＸを観察すると白色が視認される。このように、アレイ基板１８のアクティブ領域ＡＡに対向する第１表示領域ＤＡ１においては、任意の画素電極ＰＥに電圧を印加することにより、任意の文字、画像等を表示あるいは書換えすることができる。
【００２２】
また、電気泳動素子２０をアレイ基板１８に貼り付ける前の段階で、電気泳動素子２０の第２表示領域Ｄ２に任意の文字、画像等を書込んでおくことが可能である。例えば、図示しない書込み治具等を用いて、第２基材２６ａ側から共通電極２８との間に電圧を印加することにより、マイクロカプセル３０内の白色粒子３４ａあるいは黒色粒子３４ｂを共通電極２８側に引き寄せ、第２表示領域ＤＡ２に任意の文字、画像等を白色表示あるいは黒色表示することができる。第２表示領域ＤＡ２に表示する文字、画像等は、例えば、ロゴ、固体識別バーコード等の後々書き換えが必要の無いものであることが望ましい。
【００２３】
以上のように構成された第１の実施形態に係る表示装置１０によれば、第１表示領域ＤＡ１に加えて、額縁領域に対向する第２表示領域ＤＡ２にも任意の表示をすることができ、すなわち、アレイ基板１８側の額縁領域に影響されることなく、電気泳動素子２０のほぼ全面を表示領域とすることができる。これにより、表示領域が増大した表示装置を得ることができる。表示装置を電子棚札に適用した場合、狭額縁で表示面が大きく、視認し易い電子棚札を提供することができる。
【００２４】
次に、他の実施形態に係る表示装置について説明する。なお、以下に述べる他の実施形態において、前述した第１の実施形態における表示装置と同一の構成部分には、第１の実施形態と同一の参照符号を付して、その詳細な説明を簡略化あるいは省略することがある。第１の実施形態と異なる部分を中心に詳しく説明する。
【００２５】
（第２の実施形態）  
図５は、第２の実施形態における表示パネルを示す断面図、図６は、電気泳動素子および固定電極を示す分解斜視図である。  
図５に示すように、表示装置の表示パネル１２は、アレイ基板１８の額縁領域ＮＡおよび電気泳動素子２０の第２表示領域ＤＡ２に対向して設けられた第１固定電極４６ａおよび第２固定電極６４ｂを備えている。第１固定電極４６ａおよび第２固定電極６４ｂは、例えば、アルミ箔で形成されたフィルム状の電極を用いている。
【００２６】
図５および図６に示すように、第１固定電極４６ａおよび第２固定電極６４ｂは、それぞれ第２表示領域ＤＡ２に対応した大きさの矩形枠状に形成されている。第１固定電極４６ａは、いわゆるベタの電極としている。第２固定電極４６ｂは、少なくとも一部に、例えば、両長辺側部分に、電極を打ち抜いて形成された抜き文字あるいは抜き記号Ｃ等を有している。
【００２７】
第１固定電極４６ａは、第１基材２６ａの背面（第２基材２６ｂと反対側の面）上に設けられている。第２固定電極４６ｂは、第２基材２６ａ内に設けられ、第１固定電極４６ａと隙間をおいてほぼ平行に対向している。すなわち、第２固定電極４６ｂは、第１固定電極４６ａとマイクロカプセル３０との間に配置されている。第１固定電極４６ａおよび第２固定電極６４ｂは、それぞれ配線を介して図示しない電源に接続され、互いに独立して電圧を印加可能である。  
表示パネル１２の他の構成は、前述した第１の実施形態に係る表示パネルと同一である。
【００２８】
上記構成の第２の実施形態によれば、共通電極２８に対して高電位あるいは低電位の電圧を第２固定電極４６ｂに印加することにより、電気泳動素子２０の第２表示領域ＤＡ２に白抜き文字、記号Ｃあるいは黒抜き文字、記号Ｃを表示することができる。また、第１固定電極４６ａに高電位あるいは低電位の電圧を印加することにより、第２表示領域ＤＡ２にベタの白画面あるいは黒画面を表示し、前述した文字、記号Ｃをリセットあるいはリフレッシュすることができる。  
以上のように構成された第２の実施形態に係る表示装置１０によれば、第１表示領域ＤＡ１に加えて、額縁領域に対向する第２表示領域ＤＡ２にも任意の表示をすることができ、すなわち、アレイ基板１８側の額縁領域に影響されることなく、電気泳動素子２０のほぼ全面を表示領域とすることができる。これにより、表示領域が増大した表示装置を得ることができる。
【００２９】
なお、第２の実施形態において、第１固定電極４６ａを省略し、第２固定電極４６ｂのみで任意の文字、記号等を書く込む構成としてもよい。また、第２固定電極４６ｂを省略し、第１固定電極４６ａの一部、例えば、両長辺部に、絶縁インク等で任意の文字、記号等を記載する構成としてもよい。この場合、第１固定電極４６ａに電圧を印加することにより、絶縁インクの文字、記号等に対応する白抜きあるいは黒抜きの文字、記号等を第２表示領域ＤＡ２に表示することができる。
【００３０】
（第３の実施形態）
図７は、第３の実施形態における表示パネルを示す断面図である。図に示すように、第３の実施形態では、表示パネル１２は、アレイ基板を省略し、電気泳動素子２０で構成されている。  
電気泳動素子２０の第１基材２６ａに第１固定電極４６ａおよび第２固定電極６４ｂが設けられている。第１固定電極４６ａおよび第２固定電極６４ｂは、例えば、導電フィルムあるいはアルミ箔で形成されたフィルム状の電極を用いている。第１固定電極４６ａおよび第２固定電極６４ｂは、第１基材２６ａとほぼ等しい大きさの矩形状に形成されている。第１固定電極４６ａは、いわゆるベタの電極としている。第２固定電極４６ｂは、少なくとも一部に、ここでは、中央部および周縁部の全域に形成され、文字あるいは記号等に対応した形状を有する複数の透孔Ｃを有している。これらの透孔Ｃは、電極を打ち抜いて形成されている。
【００３１】
第１固定電極４６ａは、第１基材２６ａに設けられ、マイクロカプセル３０を挟んで共通電極２８の全面と対向している。第２固定電極４６ｂは、第１基材２６ａの内面側に設けられ、第１固定電極４６ａと隙間をおいてほぼ平行に対向している。すなわち、第２固定電極４６ｂは、第１固定電極４６ａとマイクロカプセル３０との間に配置されている。第２固定電極４６ａは、マイクロカプセル３０を挟んで共通電極２８の全面と対向している。第１固定電極４６ａおよび第２固定電極６４ｂは、それぞれ配線を介して図示しない電源され、互いに独立して電圧を印加可能である。  
表示パネル１２の他の構成は、前述した第１の実施形態に係る表示パネルと同一である。
【００３２】
上記構成の第３の実施形態によれば、共通電極２８に対して高電位あるいは低電位の電圧を第２固定電極４６ｂに印加することにより、透孔Ｃに対応する白抜き文字、記号あるいは黒抜き文字、記号を、電気泳動素子２０の第２表示領域ＤＡ２に表示することができる。また、第１固定電極４６ａに高電位あるいは低電位の電圧を印加することにより、表示面１２ａの全面にベタの白画面あるいは黒画面を表示し、前述した文字、記号をリセットあるいはリフレッシュすることができる。  
このように、第３の実施形態に係る表示装置１０によれば、表示面１２ａの全面を第１表示領域ＤＡ１（第１表示領域＋第２表示領域）とすることができる。すなわち、電気泳動素子２０のほぼ全面を表示領域とすることにより、表示領域が増大した表示装置を得ることができる。
【００３３】
なお、第３の実施形態において、第１固定電極４６ａを省略し、第２固定電極４６ｂのみで任意の文字、記号等を書く込む構成としてもよい。また、第２固定電極４６ｂを省略し、第１固定電極４６ａの一部あるいは全域に、絶縁インク等で任意の文字、記号等を記載する構成としてもよい。この場合、第１固定電極４６ａに電圧を印加することにより、絶縁インクの文字、記号等に対応する白抜きあるいは黒抜きの文字、記号等を表示領域ＤＡ１に表示することができる。また、第１および第２固定電極４６ａ、４６ｂを有する第１基材２６ａとして、フレキシブルプリント回路基板（ＦＰＣ）を用いることが可能である。このようなＦＰＣを用いることにより、表示パネル１２の構成を簡略化し、製造コストの低減を図ることができる。
【００３４】
（第４の実施形態）
図８は、第４の実施形態に係る表示装置および書込み治具を示す斜視図、図９は、第４の実施形態に係る表示パネルおよび書込み治具の断面図である。  
本実施形態は、図８に示すように、表示装置１０と、表示装置に画像データを書込むための書込み治具８０とを備えた表示システムを構成している。一例では、表示装置１０は、前述した第１の実施形態に係る表示装置１０と同様の表示装置を用いている。但し、以下の構成が相違している。
【００３５】
図９に示すように、表示装置１０の表示パネル１２において、電気泳動素子２０の共通電極（第２基材側共通電極）２８は、アレイ基板１８のアクティブ領域ＡＡに対応した大きさに形成されている。共通電極２８は、マイクロカプセル３０を挟んで、アクティブ領域ＡＡのみに対向して配置されている。また、第１基材２６ａの内面（第２基材２６ｂに対向する面）に、枠状の第２共通電極４８が設けられている。第２共通電極４８は、例えば、アルミ箔で形成されたフィルム状の電極を用いている。あるいは、第２共通電極４８は、ＩＴＯ、ＩＺＯ等で形成された透明電極を用いてもよい。
【００３６】
第２共通電極４８は、アレイ基板１８の額縁領域ＮＡを覆って配置されているとともに、第２共通電極４８の両長辺部は、アレイ基板１８の両長辺を超えて第１基材２６ａの長辺と面一となる位置まで延在している。すなわち、第２共通電極４８は、電気泳動素子２０の第２表示領域ＤＡ２と対向して配置され、共通電極２８と重なることなく、共通電極２８に対して面方向にずれて配置されている。
【００３７】
図８および図９に示すように、書込み治具８０は、表示パネル１２の表示面１２ａとほぼ同一の大きさの矩形板状に形成されている。書込み治具８０は、矩形状のベース基材８１と、ベース基材８１の表面上に形成された絶縁層８２と、絶縁層８２上にマトリクス状に並んで設けられた複数の画素電極ＰＥと、絶縁層８２上に設けられた図示しないスイッチング素子、信号配線、走査配線等と、絶縁層８２上に設けられた配線ＷＬを含む周辺回路と、画素電極ＰＥ、配線ＷＬ、スイッチング素子に重ねて絶縁層８２上に形成された保護層８４と、を有している。保護層８４の表面は、表示装置１０の表示面１２ａに対向あるいは当接可能な対向面８０ａを構成している。画素電極ＰＥは、対向面８０ａに近傍に設けられ、対向面８０ａに対向している。
【００３８】
ベース基材８１は、例えば、合成樹脂あるいはガラスにより形成され、表示面１２ａとほぼ等しい寸法の矩形状を有している。本実施形態において、複数の画素電極ＰＥは、ベース基材８１の表面の内、電気泳動素子２０の第２表示領域ＤＡ２と対向可能な領域に設けられている。電気泳動素子２０の第１表示領域ＤＡ１と対向可能な領域には、画素電極ＰＥを設けていない。また、配線ＷＬを含む周辺回路は、ベース基材８１の表面の周縁部に設けられ、表示面１２ａから外れた位置に対向する。なお、配線ＷＬは、図示しない駆動ＩＣを介して、図示しない電源回路に接続される。
【００３９】
上記のように構成された表示システムにおいて、表示装置１０は、アレイ基板１８の任意の画素電極ＰＥに負電位あるいは正電位の電圧を印加することにより、電気泳動素子２０の第１表示領域ＤＡ１に所望の文字、記号等を白色表示あるいは黒色表示する。
また、電気泳動素子２０の第２表示領域ＤＡ２に表示する場合は、図８および図９に示すように、書き込み治具８０の対向面８０ａを電気泳動素子２０の表示面１２ａに重ねて配置する。この際、保護層８４側が表示面１２ａに接する向きで書込み治具８０を配置し、更に、書込み治具８０の周縁部が表示面１２ａの周縁と整列するように書込み治具８０を位置決めする。これにより、書込み治具８０の画素電極ＰＥは、電気泳動素子２０の第２表示領域ＤＡ２および第２共通電極４８と対向して位置している。この状態で、第２共通電極４８に対して、負電位あるいは正電位の電圧を任意の画素電極ＰＥに印加することにより、第２共通電極と画素電極ＰＥとの間にあるマイクロカプセル３０内の白色粒子３４ａあるいは黒色粒子３４ｂが画素電極ＰＥ側に引寄せられる。これにより、第２表示領域ＤＡ２に任意の白色文字、記号等あるいは黒色文字、記号等が表示される。  
データを書込んだ後、書込み治具８０は表示装置１０から外される。表示装置１０において、各マイクロカプセル３０内の白色粒子３４ａおよび黒色粒子３４ｂは、表示状態を長期間に亘って維持する。
【００４０】
上記構成の表示システムによれば、表示装置１０の第１表示領域ＤＡ１および第２表示領域ＤＡ２に任意の画像、文字、記号等を表示することができるとともに、任意に書換えることができる。この場合、第２表示領域ＤＡ２に画像データを書込むためのアレイ基板を省略することができ、表示装置１０の簡略化および製造コストの低減を図ることができる。書込み治具８０は、複数台の表示装置１０に兼用することが可能であり、少なくとも１つあればよい。従って、表示システム全体のコスト低減が可能となる。更に、書込み治具８０により書込む画像データは、ホストコンピュータ等の制御部で管理することが可能であり、システム全体の効率化および表示の統一性を図ることができる。
【００４１】
（第５の実施形態）  
図１０は、第５の実施形態に係る表示装置および書込み治具を示す断面図である。  
本実施形態では、表示システムにおいて、書込み治具として小型で簡易型の治具を用いている。図１０に示すように、書込み治具８０は、幅方向Ｙの片側に位置する第２表示領域ＤＡ２の幅とほぼ等しい幅、およびほぼ等しい長さを有する矩形状に形成されている。
書込み治具８０は、矩形状のベース基材８１と、ベース基材８１の表面上に形成された絶縁層８２と、絶縁層８２上に設けられた複数の画素電極ＰＥと、絶縁層８２上に設けられた図示しないスイッチング素子、信号配線、走査配線等と、絶縁層８２上に設けられた配線ＷＬを含む周辺回路と、画素電極ＰＥ、スイッチング素子等に重ねて絶縁層８２上に形成された保護層８４と、を有している。
【００４２】
ベース基材８１は、例えば、合成樹脂あるいはガラスにより形成され、表示面１２ａの一方の第２表示領域ＤＡ２とほぼ等しい寸法の矩形状を有している。本実施形態において、複数の画素電極ＰＥは、ベース基材８１の表面の全域に亘って配置されている。画素電極ＰＥは、図示しない駆動ＩＣを介して、図示しない電源回路に接続される。画素電極ＰＥは、マトリクス状に配列されて、それぞれ独立して駆動される構成としても良いし、あるいは、予め決められた任意の文字、ロゴマーク、記号等に合わせて配置および配列された構成としてもよい。後者の場合、画素電極ＰＥは、任意の文字、ロゴマーク、記号等が打ち抜き形成されたフィルム状の電極を用いることができる。  
第５の実施形態において、表示装置１０の構成は、前述した第４の実施形態に係る表示装置１０と同一である。
【００４３】
上記構成の書込み治具８０を用いて第２表示領域ＤＡ２に画像データを書き込む場合、図９に示すように、書き込み治具８０を電気泳動素子２０の表示面１２ａに重ねて配置する。この際、保護層８４側が表示面１２ａに接する向きで書込み治具８０を配置し、更に、書込み治具８０の周縁部が表示面１２ａの一方の長辺側の周縁と整列するように書込み治具８０を位置決めする。これにより、書込み治具８０の画素電極ＰＥは、電気泳動素子２０の第２表示領域ＤＡ２および第２共通電極４８と対向して位置する。この状態で、第２共通電極４８に対して、負電位あるいは正電位の電圧を任意の画素電極ＰＥに印加すると、第２共通電極と画素電極ＰＥとの間にあるマイクロカプセル３０内の白色粒子３４ａあるいは黒色粒子３４ｂが画素電極ＰＥ側に引寄せられる。これにより、第２表示領域ＤＡ２に任意の白色文字、記号等あるいは黒色文字、記号等が表示される。反対側の第２表示領域ＤＡ２についても、上記と同様の操作により、書込み治具８０を用いて任意の画像データを書込み、表示することができる。更に、上記と同様の操作により、第２表示領域ＤＡ２の表示画像を書込み治具８０により書き換えることが可能である。  
【００４４】
上記構成の表示システムによれば、前述した第４の実施形態に係る表示システムと同様の作用効果を得ることができる。更に、本実施形態によれば、書込み治具８０を小型化、簡素化することにより、一層、製造コストの低減を図ることができる。  
なお、書込み治具８０は、電極を備えた構成に限らず、より簡易な構成とすることが可能である。例えば、保護層および画素電極に代えて、導電性ゴム等で形成されたゴム印を用いてもよい。この場合、表示面１２ａに当接するゴム印の当接面（押圧面）に、文字、ロゴ、記号等に対応した形状の凹凸部が形成されている。
【００４５】
（第６の実施形態）
図１１は、第６の実施形態に係る表示装置および書込み治具を示す断面図である。  
本実施形態は、表示装置１０と、表示装置に表示データを書込むための書込み治具８０とを備えた表示システムを構成している。更に、本実施形態では、アレイ基板を省略し、シート状の電気泳動素子２０のみで表示パネル１２を構成しているとともに、書込み治具８０により、表示領域の全面に画像データを書き込む構成としている。
【００４６】
図１１に示すように、本実施形態によれば、表示パネル１２を構成するシート状の電気泳動素子２０は、第１基材２６ａの内面（第２基材２６ｂと対向する面）上に設けられた共通電極４８を有している。共通電極４８は、第１基材２６ａの全面に亘って設けられている。これにより、多数のマイクロカプセル３０は、共通電極４８と第２基材２６ｂとの間に保持されている。なお、第２基材２６ｂ側には電極が設けられていない。
共通電極２８は、後述する書込み治具８０の画素電極ＰＥとともにマイクロカプセル３０に電圧を印加する電極であり、例えば、アルミ箔、マグネシウム銀、ＩＴＯ、ＩＺＯ等から形成された電極を用いている。共通電極２８は、表示面１２ａと反対側に設けられるため、透明電極でなくてもよい。  
表示面１２ａ側に位置する第２基材２６ｂの外面（表面）に接着層４０を介してバリア層４２が貼付されている。更に、バリア層４２上に保護基材４４が積層されている。接着層４０、バリア層４２、保護基材４４は、同一寸法の矩形状に形成され、また、平面視で、電気泳動素子２０よりも僅かに大きい寸法に形成されている。
【００４７】
書込み治具８０は、表示パネル１２の表示面１２ａよりも大きな寸法の矩形板状に形成されている。書込み治具８０は、矩形状のベース基材８１と、ベース基材８１の表面上に形成された絶縁層８２と、絶縁層８２上にマトリクス状に並んで設けられた複数の画素電極ＰＥと、絶縁層８２上に設けられた図示しないスイッチング素子、信号配線、走査配線等と、絶縁層８２上に設けられた配線ＷＬを含む周辺回路と、画素電極ＰＥ、配線ＷＬ、スイッチング素子に重ねて絶縁層８２上に形成された保護層８４と、を有している。
【００４８】
本実施形態において、複数の画素電極ＰＥは、ベース基材８１の周縁部を除いて、ほぼ全面に亘ってマトリクス状に配置されている。これにより、複数の画素電極ＰＥは、表示面１２ａの全面と対向可能に、すなわり、電気泳動素子２０の表示領域ＤＡ１（ＤＡ１+ＤＡ２）の全面と対向可能に、設けられている。配線ＷＬを含む周辺回路は、ベース基材８１の表面の周縁部に設けられ、表示面１２ａから外れた位置に対向する。なお、配線ＷＬは、図示しない駆動ＩＣを介して、図示しない電源回路に接続される。
【００４９】
上記のように構成された表示システムにおいて、電気泳動素子２０の表示領域ＤＡ１に表示する場合、書き込み治具８０を電気泳動素子２０の表示面１２ａの全面に重ねて配置する。この際、保護層８４側が表示面１２ａに接する向きで書込み治具８０を配置し、更に、書込み治具８０の周縁部が表示面１２ａの周縁と整列するように書込み治具８０を位置決めする。これにより、書込み治具８０の画素電極ＰＥは、電気泳動素子２０の表示領域ＤＡ１および共通電極４８と対向して位置する。この状態で、共通電極４８に対して、負電位あるいは正電位の電圧を任意の画素電極ＰＥに印加することにより、共通電極と画素電極ＰＥとの間にあるマイクロカプセル３０内の白色粒子３４ａあるいは黒色粒子３４ｂが画素電極ＰＥ側に引寄せられる。これにより、表示領域ＤＡ１の全域に任意の白色文字、記号等あるいは黒色文字、記号等が表示される。  
データを書込んだ後、書込み治具８０は表示装置１０から外される。表示装置１０において、各マイクロカプセル３０内の白色粒子３４ａおよび黒色粒子３４ｂは、表示状態を長期間に亘って維持する。また、上記と同様の操作により、表示領域ＤＡ１の表示画像を書き換えることができる。
【００５０】
上記のように構成された表示システムによれば、表示パネル１２のアレイ基板を省略することにより、表示装置１０の製造コストの低減、装置の小型化、薄型化を図ることができる。表示パネル１２の表示面１２ａの全面に任意の文字、記号、ロゴ等を表示することができ、表示領域の増大を図ることができる。本実施形態に係る表示装置１０を比較的書換え頻度の少ない電子棚札に適用した場合、電子棚札を安価に提供することができる。このような電子棚札を用いることにより、頻繁に書き換え可能な電子棚札を全部並べるよりも安く棚札表示を実現することができる。そのため、全部の棚札を電子棚札化することが可能であり、商品棚の統一性が上がって見栄えが良く成る。  
なお、本実施形態において、書込み治具８０の書込み用電極は、マトリクス状に配列された画素電極ＰＥに限定されることなく、所望の文字、記号、ロゴ等が打ち抜き形成されたベタの固定電極を用いてもよい。あるいは、マトリクス状に配列された複数の画素電極ＰＥと、所望の文字、記号、ロゴ等が打ち抜き形成されたベタの固定電極とを組み合わせて用いてもよい。
【００５１】
（第７の実施形態）
図１２は、第７の実施形態に係る表示装置を示す斜視図、図１３は、表示装置の分解斜視図、図１４は、表示パネルの分解斜視図である。本実施形態では、表示装置１０は、表示面１２ａの少なくとも一部、一例では、両側縁部が背面側に湾曲した表示パネル１２を備えている。  
図１２および図１３に示すように、表示装置１０は、ほぼ矩形状の表示パネル１２と、この表示パネル１２を収容した偏平な矩形箱状の筐体（ケース）１４と、を備えている。筐体１４は、矩形状のベース１４ａと、矩形状のカバー１４ｂと、を有している。カバー１４ｂは、ベース１４ａの開口を覆うように、ベース１４ａに嵌合されている。カバー１４ｂは、矩形状の表示窓１６を有している。表示窓１６は、カバー１４ｂの幅方向（第２方向）Ｙの全幅に亘って、更に、カバー１４ｂの両側壁に亘って、延在している。また、表示窓１６は、カバー１４ｂの長手方向（第１方向）Ｘの大部分に亘って延在している。
【００５２】
表示パネル１２は、矩形状のアレイ基板（ＴＦＴ基板）１８と、アレイ基板１８を支持する支持板６０と、アレイ基板１８に重ねて設けられたシート状の電気泳動素子２０と、を備えている。アレイ基板１８は、後述する画素電極、薄膜トランジスタ（ＴＦＴ）、信号線、外部回路配線等を備えている。アレイ基板１８に駆動ＩＣ１９が実装されている。支持板６０の背面側に制御回路基板２３が対向配置されている。アレイ基板１８は、フレキシブル配線基板（ＦＰＣ）１７を介して制御回路基板２３に電気的に接続されている。
【００５３】
支持板６０は、矩形状に形成され、アレイ基板１８の幅よりも大きい幅およびアレイ基板１８の長さとほぼ等しい長さを有している。支持板６０は、一方の表面に形成された矩形状の凹所６１を有している。凹所６１は、アレイ基板１８の幅および長さとほぼ等しい幅および長さに形成され、更に、アレイ基板１８の板厚とほぼ等しい深さに形成されている。凹所６１は、支持板６０の長手方向の全長に亘って延在し、また、幅方向には、支持板の一対の長辺側端部を除いた領域に延在している。  
アレイ基板１８は、支持板６０の凹所６１内に配置され、支持板６０上に支持されている。これにより、アレイ基板１８の表面（上面）は、凹所６１を除く支持板６０の上面とほぼ面一に位置している。支持板６０の一対の長辺側端部は、上面側から背面側に向かって円弧状に湾曲（ラウンド）している。すなわち、支持板６０の一対の長辺側端部は、凸条に湾曲した湾曲部６０ａを構成している。
【００５４】
シート状の電気泳動素子２０は、例えば、矩形状の表示面１２ａを有している。表示面１２ａは、筐体１４の表示窓１６に対応した大きさに形成されている。表示面１２ａを含む電気泳動素子２０の両長辺側の側縁部２０ｂは、それぞれアレイ基板１８の長辺を越えて外側に延出しているとともに、背面側に向かって円弧状に湾曲している。本実施形態では、両側縁部２０ｂは、支持板６０の湾曲部６０ａ、６０ａにそれぞれ沿って湾曲している。これにより、両側縁部２０ｂは、それぞれ湾曲部２０ｂを構成している。  
図１４に示すように、アレイ基板１８の一側縁部と電気泳動素子２０の一側縁部２０ｂとの間に導電シート６２が挟まれている。導電シート６２は、一側部に沿って延在している。導電シート６２として、例えば、アルミ箔を用いている。導電シート６２は、アレイ基板１８の額縁領域ＮＡに貼付けられ、アレイ基板１８の配線ＷＬに電気的に導通している。そして、導電シート６２は、図示しないフレキシブル配線基板に電気的に接続される。
【００５５】
図１２および図１３に示すように、表示パネル１２は、表示面１２ａが表示窓１６の全面に露出した状態で、筐体１４内に配置されている。表示面１２ａの湾曲部２０ｂは、それぞれ筐体１４の側面部に露出している。
【００５６】
図１５は、図１２の線Ｃ−Ｃに沿った表示パネルの断面図である。なお、図１５においては、各構成要素を見やすくするため、構成要素によって寸法の縮尺を変更して示すことがある。  
図１５に示すように、アレイ基板１８は、絶縁基板２２と、絶縁基板２２の表面に形成された絶縁層２４と、を有している。絶縁基板２２は、表示面１２ａと反対側に配置されるため、透明でなくてもよい。アレイ基板１８は、アクティブ領域ＡＡにおいて、絶縁層２４上に設けられた複数の画素電極ＰＥ、図示しないスイッチング素子ＳＷ、信号線Ｓ、走査線Ｇ等を有している。額縁領域ＮＡにおいて、絶縁層２４上に複数の配線ＷＬが設けられている。複数の画素電極ＰＥは、アクティブ領域ＡＡのほぼ全域にマトリクス状に配列されている。画素電極ＰＥは、後述する共通電極との間で電気泳動素子２０に電圧を印加する。絶縁層２４、画素電極ＰＥ、配線ＷＬに重ねて、アレイ基板１８のアクティブ領域ＡＡおよび額縁領域ＮＡの全面に導電性の粘着層２５が設けられている。アレイ基板１８は、支持板６０の凹所６１内に配置されている。
【００５７】
シート状の電気泳動素子２０は、粘着層２５に重ねて配置され、この粘着層２５によりアレイ基板１８に貼付されている。本実施形態において、電気泳動素子２０は、例えば、前述の第２の実施形態で示した電気泳動素子２０と同様の構成のものを用いている。同一の構成部分には、第２の実施形態で示した参照符号と同一の符号を付して、その詳細な説明を省略する。  
本実施形態によれば、電気泳動素子２０は、アレイ基板１８のアクティブ領域ＡＡに対向する第１表示領域（中央領域）ＤＡ１と、第１表示領域ＤＡ１の周囲に位置しアレイ基板１８の額縁領域および支持板６０に対向する第２表示領域ＤＡ２と、を有している。第２表示領域ＤＡ２、すなわち、電気泳動素子２０の長辺側の両側縁部は、支持板６０の湾曲部６０ａに沿って支持板６０の背面側に回り込むように湾曲している。これにより、電気泳動素子２０の長辺側の両側縁部は、湾曲部２０ｂを構成している。電気泳動素子２０の周縁部は、シール材ＳＥにより封止されている。
【００５８】
以上のように構成された第７の実施形態に係る表示装置１０によれば、表示面１２ａの側縁部を背面側に湾曲した湾曲部とすることにより、筐体の側面側まで表示領域を延ばすことが可能となる。これにより、表示領域を拡大し、より視認し易い表示装置を提供することができる。例えば、電子棚札のように、筐体を立てて配置する場合でも、表示領域の側縁部を容易に視認することが可能となる。
【００５９】
なお、本実施形態に係る湾曲部を有する電気泳動素子の構成は、前述した第２の実施形態に係る電気泳動素子に限らず、他の実施形態で示した電気泳動素子のいずれにも適用可能である。  
また、図１６および図１７に示すように、湾曲部を有する表示装置１０と書込み治具８０とを組み合わせて表示システムを構築してもよい。この表示システムでは、書込み治具８０は、表示装置１０の表示面１２ａに対向あるいは当接する対向面８０ａを有している。対向面８０ａの両側縁部は、表示面１２ａの湾曲部２０ｂに合わせて湾曲している。書込み治具８０の他の構成は、前述した第４の実施形態あるいは第６の実施形態で示した書込み治具と同様の構成としている。上記構成によれば、画像データの書込み時、対向面８０ａの湾曲部を表示装置１０の湾曲部２０ｂに合わせることにより、書込み治具８０を表示装置１０に対して容易に位置決めすることができる。
【００６０】
本発明のいくつかの実施形態を説明したが、これらの実施形態は、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形例は、発明の範囲や要旨に含まれるとともに、特許請求の範囲に記載された発明とその均等の範囲に含まれる。
【００６１】
本発明の実施形態として上述した各構成を基にして、当業者が適宜設計変更して実施し得る全ての構成も、本発明の要旨を包含する限り、本発明の範囲に属する。例えば、表示パネル外形状は、矩形状に限定されることなく、平面視多角形状や円形、楕円形、およびこれらを組み合わせた形状等の他の形状としてもよい。湾曲部は、表示領域の側縁部に限らず、表示領域全体を湾曲させる構成としてもよい。表示装置の構成部材の材料は、上述した例に限らず、種々選択可能である。  
上述した実施形態によりもたらされる他の作用効果について本明細書の記載から明らかなもの、又は当業者において適宜想到し得るものついては、当然に本発明によりもたらされるものと解される。
【符号の説明】
【００６２】
１０…表示装置、１２…表示パネル、１２ａ…表示面、１４…筐体、  
１４ａ…ベース、１４ｂ…カバー、１６…表示窓、１８…アレイ基板、  
２０…電気泳動素子、２０ｂ…湾曲部、２５…粘着層、２６ａ…第１基材、  
２６ｂ…第２基材、２８…共通電極、３０…マイクロカプセル、４２…バリア層、  
４６ａ…第１固定電極、４６ｂ…第２固定電極、８０…書込み治具、  
ＰＥ…画素電極、ＳＥ…シール材
【図１】
2019060983.tif 000003
【図２】
2019060983.tif 000004
【図３】
2019060983.tif 000005
【図４】
2019060983.tif 000006
【図５】
2019060983.tif 000007
【図６】
2019060983.tif 000008
【図７】
2019060983.tif 000009
【図８】
2019060983.tif 000010
【図９】
2019060983.tif 000011
【図１０】
2019060983.tif 000012
【図１１】
2019060983.tif 000013
【図１２】
2019060983.tif 000014
【図１３】
2019060983.tif 000015
【図１４】
2019060983.tif 000016
【図１５】
2019060983.tif 000017
【図１６】
2019060983.tif 000018
【図１７】
2019060983.tif 000019